(57)【要約】【課題】ガラス張りの建物内のガラス面付近に設置して採光量の調節及び断熱を図るルーバーを提供する。【解決手段】このルーバーＬは、ガラス面全面に亘って対向可能に横方向に並列にかつ相互に隣接して配置される内部を中空とする縦長の複数のルーバーパネル１と、各ルーバーパネル１の上下両端と各ルーバーパネル１の上下両端に対応する建物Ｂ側の取付面Ｂ１、Ｂ２との間に配設され、各ルーバーパネル１を各別に回動可能に支持する複数の支持装置２と、各支持装置２に併設され、各ルーバーパネル１の回動をクリック音発生機構付きのディテント機構によりロックする複数のロック装置３とを備える。【選択図】図１
2015232201.tif 000002
【特許請求の範囲】
【請求項１】
ガラス張りの建物内のガラス面の近傍又は窓を有する建物内の窓のガラス面の近傍に設置されて、採光量の調節及び断熱を図る光量調整断熱ルーバーであって、
ガラス面全面に亘って対向可能に並列にかつ相互に隣接して配置される複数のルーバーパネルと、
前記各ルーバーパネルの両端と前記各ルーバーパネルの両端に対応する建物側の取付面との間に配設され、前記各ルーバーパネルを各別に回動可能に支持する複数の支持装置と、
前記各支持装置に併設され、前記各ルーバーパネルの回動をロックする複数のロック装置と、
を備え、
前記各ルーバーパネルは、前後両面が略ロ字形の外形フレームと、前記外形フレームの前後両面に貼設される化粧パネルとからなり、内部を中空とする、
ことを特徴とする光量調整断熱ルーバー。
【請求項２】
各ルーバーパネルは縦長に形成され、横方向に並列に配置される請求項１に記載の光量調整断熱ルーバー。
【請求項３】
各ルーバーパネルの相互に隣接する各側面のうち一方の側面は前面側半面が凸形状に後面側半面が凹形状に形成され、他方の側面は前面側半面が凹形状に後面側半面が凸形状に形成され、前記双方の側面は双方の凹凸形状の係合により密着される請求項１又は２に記載の光量調整断熱ルーバー。
【請求項４】
各ルーバーパネルの相互に隣接する各側面の一方にシール材が設けられる請求項１乃至３のいずれかに記載の光量調整断熱ルーバー。
【請求項５】
各支持装置は、各ルーバーパネルの両端に取り付けられる軸と、各ルーバーパネルの両端に対応する建物側の取付面にそれぞれ設置固定され、前記軸を回動可能に支持する軸受とからなり、前記各取付面に設置固定される軸受の一方は前記軸を回動可能にかつ抜き差し可能に支持する受け部を有し、他方は、前記軸と一体に回動可能にかつ前記軸を係脱可能に保持する受け座を有する請求項１乃至４のいずれかに記載の光量調整断熱ルーバー。
【請求項６】
ロック装置は、軸の外周面又は前記軸の周囲のいずれか一方に周方向に設けられる複数のディテント溝と、他方に前記各ディテント溝に対して弾性的に係脱可能に設けられるディテントボールとを具備し、前記軸の所定の回動角度毎に前記ディテントボールが前記各ディテント溝に係脱され、ルーバーパネルを所定の回動角度毎にロックするディテント機構により構成される請求項５に記載の光量調整断熱ルーバー。
【請求項７】
ロック装置は、軸の外周面又は前記軸の周囲のいずれか一方に複数のディテント溝と並列に、前記各ディテント溝に対応する複数のクリック溝を介在して周方向に設けられる複数のクリック突起と、他方に前記各クリック突起と係合可能に設けられるクリックスプリングとからなり、前記軸の所定の回動角度毎に前記クリックスプリングが前記各クリック突起により弾かれてクリック音を発生するクリック音発生機構を併せて具備する請求項６に記載の光量調整断熱ルーバー。
【発明の詳細な説明】
【技術分野】
【０００１】
本発明は、ガラス張りの建物内のガラス面の近傍、又は窓を有する建物内の窓ガラスの近傍に設置して、採光量の調節及び断熱を図る光量調整断熱ルーバーに関する。
【背景技術】
【０００２】
一般に、建物の窓から入る太陽光や外気温を遮断するために、カーテンやブラインドが用いられ、これらが窓の内側に取り付けられる。ブラインドの場合、多数の短冊状の薄板が平行に配置され、これらの薄板が紐で作動連結されて、紐を引っ張ることにより、各薄板の角度が変えられるようになっており、各薄板の角度を変えることで、太陽光の光量を調節することができ、この点でカーテンよりも有利と言える。この種のブラインドは従来形の横型ブラインドに改良形の縦型ブラインドが加えられ、そのバリエーションも増えている。特に縦型ブラインドは例えば特許文献１他多数の特許文献により提案されている。
【先行技術文献】
【特許文献】
【０００３】
【特許文献１】実開平６−２４１９２公報
【発明の概要】
【発明が解決しようとする課題】
【０００４】
ところで、ガラス張りの建物や大きな窓を有する建物では、大きなガラス面や窓を通して入る太陽光によって建物内部の温度が極端に変化する。特に、夏の間は太陽光による温度上昇の影響が大きく、建物内部はビニールハウスや温室の如き状態となり、冬の場合はその反対で建物外の冷気が伝わり、冷え冷えとした状態となる。
この場合、ガラス材料に遮熱ガラスを使用することで対応しても、大きなガラス面や窓の場合、夏は直射日光を受けて室内の温度が極度に上昇し、冬の外気は遮断することが困難である。
また、この場合、従来のようにガラス面や窓の内側にカーテンやブラインドを取り付けて、夏の直射日光や冬の外気を遮断して室内温度を調整しようとしてもカーテンやブラインドの断熱機能では限界があり、大きな効果は期待できない。
【０００５】
本発明は、このような従来の問題を解決するもので、建物内のガラス面や窓付近に設置して、採光量の調節及び断熱を図る優れた光量調整断熱ルーバーを提供すること、を目的とする。
【課題を解決するための手段】
【０００６】
上記目的を達成するために、本発明の光量調整断熱ルーバーは、ガラス張りの建物内のガラス面の近傍又は窓を有する建物内の窓のガラス面の近傍に設置されて、採光量の調節及び断熱を図る光量調整断熱ルーバーであって、ガラス面全面に亘って対向可能に並列にかつ相互に隣接して配置される複数のルーバーパネルと、前記各ルーバーパネルの両端と前記各ルーバーパネルの両端に対応する建物側の取付面との間に配設され、前記各ルーバーパネルを各別に回動可能に支持する複数の支持装置と、前記各支持装置に併設され、前記各ルーバーパネルの回動をロックする複数のロック装置とを備え、前記各ルーバーパネルは、前後両面が略ロ字形の外形フレームと、前記外形フレームの前後両面に貼設される化粧パネルとからなり、内部を中空とする、ことを要旨とする。
このルーバーはさらに次のように具体化される。
（１）各ルーバーパネルは縦長に形成され、横方向に並列に配置される。
（２）各ルーバーパネルの相互に隣接する各側面のうち一方の側面は前面側半面が凸形状に後面側半面が凹形状に形成され、他方の側面は前面側半面が凹形状に後面側半面が凸形状に形成され、前記双方の側面は双方の凹凸形状の係合により密着される。
（３）各ルーバーパネルの相互に隣接する各側面の一方にシール材が設けられる。
（４）各支持装置は、各ルーバーパネルの両端に取り付けられる軸と、各ルーバーパネルの両端に対応する建物側の取付面にそれぞれ設置固定され、前記軸を回動可能に支持する軸受とからなり、前記各取付面に設置固定される軸受の一方は前記軸を回動可能にかつ抜き差し可能に支持する受け部を有し、他方は、前記軸と一体に回動可能にかつ前記軸を係脱可能に保持する受け座を有する。
（５）ロック装置は、軸の外周面又は前記軸の周囲のいずれか一方に周方向に設けられる複数のディテント溝と、他方に前記各ディテント溝に対して弾性的に係脱可能に設けられるディテントボールとを具備し、前記軸の所定の回動角度毎に前記ディテントボールが前記各ディテント溝に係脱され、ルーバーパネルを所定の回動角度毎にロックするディテント機構により構成される。
（６）ロック装置は、軸の外周面又は前記軸の周囲のいずれか一方に複数のディテント溝と並列に、前記各ディテント溝に対応する複数のクリック溝を介在して周方向に設けられる複数のクリック突起と、他方に前記各クリック突起と係合可能に設けられるクリックスプリングとからなり、前記軸の所定の回動角度毎に前記クリックスプリングが前記各クリック突起により弾かれてクリック音を発生するクリック音発生機構を併せて具備する。
【発明の効果】
【０００７】
本発明の光量調整断熱ルーバーによれば、内部を中空とする複数のルーバーパネルを建物内のガラス面の近傍で建物側の取付面間に支持装置を介して回動可能に取り付けて、ガラス面全面に亘って対向可能に並列にかつ相互に隣接して配置し、各ルーバーパネルの回動をロック装置によりロックするようにしたので、各ルーバーパネルをガラス面に対して任意の角度に傾斜させることにより外光の光量を調整することができ、また、複数の各ルーバーパネルの前面又は後面をガラス面に対向させることにより、外光を遮断するとともに、各ルーバーパネル内部の中空部分をガラス面と建物内の空間との間に介在させて外気を遮断することができる、という本発明独自の格別な効果を奏する。
【図面の簡単な説明】
【０００８】
【図１】本発明の一実施の形態における光量調整断熱ルーバーの構成を示す図（（ａ）は側面図（ｂ）は正面図）
【図２】同ルーバーの支持装置（一方の軸及び軸受）の構成を拡大して示す正面断面図
【図３】同ルーバーの支持装置（他方の軸及び軸受）の構成を拡大して示す正面断面図
【図４】同ルーバーの動き及び作用を示す平面図（（ａ）はルーバーの開状態（ｂ）はルーバーの閉状態）
【発明を実施するための形態】
【０００９】
次に、この発明を実施するための形態について図を用いて説明する。
図１にガラス張りの建物内のガラス面の近傍に設置されて、採光量の調節及び断熱を図る光量調整断熱ルーバーを示している。
図２に同ルーバーの支持装置（一方の軸及び軸受）の構成を拡大して示し、図３に同ルーバーの支持装置（他方の軸及び軸受）の構成を拡大して示している。
図４は同ルーバーの動き及び作用を示している。
【００１０】
図１に示すように、光量調整断熱ルーバーＬ（以下、単にルーバーＬという。）は、ガラス張りの建物Ｂ内のガラス面Ｇの近傍に、ガラス面Ｇ全面に亘って対向可能に横方向に並列にかつ相互に隣接して配置される複数の縦長のルーバーパネル１と、各ルーバーパネル１の上下両端と各ルーバーパネル１の上下両端に対応する建物Ｂ側の取付面Ｂ１、Ｂ２との間に配設され、各ルーバーパネル１を各別に回動可能に支持する複数の支持装置２と、各支持装置２に併設され、各ルーバーパネルＬの回動をロックする複数のロック装置３とを備える。
【００１１】
各ルーバーパネル１は、図１（ｂ）に示すように、外形フレーム１１と、化粧パネル１２とからなり、外形フレーム１１は前後両面が縦に長い略ロ字形に形成され、この外形フレーム１１の前後両面に化粧パネル１２が貼設されて、全体が縦長の矩形状に構成され、内部を中空としてある。この場合、外形フレーム１１は剛性を有する金属材により形成され、化粧板１２は木材により形成される。また、この場合、外形フレーム１１の上面及び下面の長さ方向中央に支持装置２（軸２１、２２）を取り付けるための取付溝１１０が形成される。なお、外形フレーム１１、化粧板１２はそれぞれ合成樹脂材により形成されてもよい。また、各ルーバーパネル１の内部は中空とするが、断熱材が充填されてもよい。
また、図４に示すように、各ルーバーパネル１の相互に隣接する各側面のうち一方の側面、この場合、右側面は前面側半面が凸形状１１１に後面側半面が凹形状１１２に形成され、他方の側面、この場合、左側面は前面側半面が凹形状１１２に後面側半面が凸形状１１１に形成され、双方の側面は双方の凹凸形状１１１、１１２の係合により密着可能に形成される。この場合、各ルーバーパネル１の右側面は前面の化粧パネル１２の右側部が外形フレーム１１の右側面に対して右側方に少し突出され、さらに後面側に少し断面略Ｌ字形に突出して、外形パネル１１の右側面の厚さ方向略中央を境に前側半面に沿って配置される延長部（１１１）を形成されて、各ルーバーパネル１の右側面の前面側半面が凸形状１１１に、この右側面の後面側の半面が凹形状１１２になっている。また、各ルーバーパネル１の左側面は後面の化粧パネル１２の左側部が外形フレーム１１の左側面に対して左側方に少し突出され、さらに前面側に少し断面略Ｌ字形に突出して、外形フレーム１１の左側面の厚さ方向略中央を境に後側半面に沿って配置される延長部（１１１）を形成されて、各ルーバーパネル１の左側面の前面側半面が凹形状１１２に、この左側面の後面側の半面が凸形状１１１になっている。そして、これら凹凸形状１１１、１１２の係合面の一方（言い換えれば、隣接するルーバーパネル１の一方の凸形状１１１の他方の凸形状１１１に対向する面）にシール材１１３が設けられる。この場合、各ルーバーパネル１の右側面の凸状部１１１の内側面にしなやかな素材のパッキン材１１３が貼り付けられる。このようにして各ルーバーパネル１は相互に隣接する各側面が凹凸形状１１１、１１２の係合によりパッキン材１１３を介して密着されるようになっている。
【００１２】
各支持装置２は、図２、図３に示すように、各ルーバーパネル１の上下両端に取り付けられる軸２１、２２と、各ルーバーパネル１の上下両端に対応する建物側の上下の取付面Ｂ１、Ｂ２、この場合、天井スラブＢ１、床スラブＢ２にそれぞれ設置固定され、軸２１、２２を回動可能に支持する軸受２３、２４とからなり、天井スラブＢ１に設置固定される軸受２３は上端の軸２１を回動可能にかつ抜き差し可能に支持する受け部２３０を有し、床スラブＢ２に設置固定される軸受２４は、下端の軸２２と一体に回動可能にかつ軸２２を係脱可能に保持する受け座２４０を有する。
この場合、各ルーバーパネル１の上下両端の各軸２１、２２は剛性を有する金属棒材からなり、所定の長さを有する円筒状に形成される。
上端の軸２１は、図２に示すように、上端部が上から下に向けて末広がりのテーパ状に形成され、下端部に取付プレート２１１が接合される。この軸２１は取付プレート２１１が、図１に示すように、外形フレーム１１上面の取付溝１１０に嵌め込まれ、ボルトにより固定されて、外形フレーム１１の上面中央に軸心を上方に向けて取り付けられる。
下端の軸２２は、図３に示すように、下端部側の所定の範囲が左右対称位置の一部の面を略逆Ｌ字形に切り欠かれて、前後を円弧状の面、左右を垂直の平面とする突状部２２０が形成され、上端部に取付プレート２２１が接合される。この軸２２は取付プレート２２１が、図１に示すように、外形フレーム１１下面の取付溝１１０に嵌め込まれ、ボルトにより固定されて、外形フレーム１１の下面中央に軸心を下方に向けて取り付けられる。
天井スラブＢ１の軸受２３は、図２に示すように、軸受本体２３１と、受けインナー２３５とにより構成される。
軸受本体２３１は剛性を有する金属材により形成され、下面に上端の軸２１を挿通可能な軸挿通穴２３２を有する略筒状の本体２３３と、この本体２３３の上端の周囲に外方に向けて延びるフランジ状の取付部２３４とからなる。この本体２３３の軸挿通穴２３２の径は上端の軸２１の径よりも所定の寸法だけ少し大きくなっている。
受けインナー２３５は合成樹脂材からなり、軸受本体２３１の内周面に沿う筒形形状を有し、下端面に上端の軸２１を回動可能にかつ抜き差し可能に軸周囲を保持するリング状の受け部２３０が設けられる。この受けインナー２３５の受け部２３０の径は上端の軸２１の径と略同じか僅かに大きくなっている。この受けインナー２３５は軸受本体２３１内に一体的に組み込まれる。
このようにして天井スラブＢ１の軸受２３は取付部２３４が、図１に示すように、天井スラブＢ１の所定の位置にボルトにより固定されて取り付けられる。なお、この場合、天井スラブＢ１上には、一対のレール状の取付ベースが敷設固定され、天井スラブＢ１の各軸受２３はこの取付ベース上に所定の間隔で設置され、ボルトにより固定される。
床スラブＢ２の軸受２４は、図３に示すように、軸受本体２４１と、下端の軸２２の一部となす回転シリンダー２６とにより構成される。
軸受本体２４１は本体２４２とカバー２４８とからなる。本体２４２は、剛性を有する金属材により全体を略逆さハット（深いハット）形に形成され、上面に回転シリンダー２６を挿通可能な開口２４３、下面に回転シリンダー２６を挿通可能なシリンダー挿通穴２４４を有し、上端周囲に外方に向けて延びるフランジ部２４５が設けられる。また、この本体２４２の内部で下面のシリンダー挿通穴２４４の内側に溝２４６が周方向に形成され、この溝２４６に回転シリンダー２５を回転可能に保持するためのベアリング２４７が配置される。カバー２４８は、剛性を有する金属材により全体を略ハット（浅いハット）形に形成され、下面に回転シリンダー２６を挿通可能な開口２４９、上面の内側に回転シリンダー２６を挿通可能なシリンダー挿通穴２５０、上面の外側に下端の軸２２を挿通可能な軸挿通穴２５１を有し、下端周囲に外方に向けて延びるフランジ部２５２が設けられる。このカバー２４８の軸挿通穴２５１の径は下端の軸２２の径よりも所定の寸法だけ少し大きく、また、回転シリンダー挿通穴２５０より小さくなっている。また、このカバー２４８の上面は厚肉に形成されていて軸挿通穴２５１が上面外側に形成され、これに連続してシリンダー挿通穴２５０が上面内側に形成されており、さらにこのシリンダー挿通穴２５０の周面に溝２５３が周方向に形成されてこの溝２５３にベアリング２５４が配置される。なお、軸受本体２４１はこれら本体２４２とカバー２４８が双方のフランジ部２４５、２５２を合せられ各フランジ部２４５、２５２間がボルトにより締結されてなる。
回転シリンダー２６は剛性を有する金属材により下端の軸２２の径より大きく床スラブＢ２の軸受２４のシリンダー挿通穴２４４、２５０を挿通可能な上下両面に開口２６１、２６２を有する円筒状に形成される。この回転シリンダー２６の上面の開口２６１は床スラブＢ２の軸受２４のカバー２４８の軸挿通穴２５１と略同径になっている。この回転シリンダー２６の内部には上部側の所定の範囲が上面の開口２６１から漸次縮径するテーパ状に形成され、上下方向中央よりも少し上側の位置で下端の軸２２と略同じ又は僅かに大きい径となって、そこに下端の軸２２を受けるための受け座２４０が設けられる。この受け座２４０は、下端の軸２２の突状部２２０が挿通し嵌合可能な当該突状部２２０の断面形状と同じ穴２４０ａと、突状部２２０の基部端面が当接可能な当該基部端面の断面形状と同じ面２４０ｂとからなる。なお、この受け座２４０と下面の開口２６２との間は中空である。この回転シリンダー２６は軸受本体２４１内に本体２４２側のベアリング２４７とカバー２４８側のベアリング２５４を介して回動可能に一体的に組み入れられる。下端の軸２２は下端部の突状部２２０がこの回転シリンダー２６の上面開口２６１から挿入され、受け座２４０に係合されて、回転シリンダー２６に対して一体に回動可能にかつ抜き差し可能に結合され、回転シリンダー２６は軸２２の一部をなす。
このようにして床スラブＢ２の各軸受２４は、図１に示すように、床スラブＢ２の所定の位置に取付ブラケット及びボルトを介して設置固定される。なお、この場合、床スラブＢ２上には、一対のレール状の取付ベースが敷設固定され、床スラブＢ２の各軸受２４はこの取付ベース上に所定の間隔で設置され、ボルトにより固定される。
【００１３】
ロック装置３は、図３に示すように、下端の軸２２の外周面に周方向に設けられる複数のディテント溝３０と、下端の軸２２の周囲に各ディテント溝３０に対して弾性的に係脱可能に設けられるディテントボール３１とを具備し、下端の軸２２の所定の回動角度毎にディテントボール３１が各ディテント溝３０に係脱され、ルーバーパネル１を所定の回動角度毎にロックするディテント機構３２により構成される。
この場合、複数のディテント溝３０は、下端の軸２２の一部をなす回転シリンダー２６の外周面、この場合、ベアリング２４７により支持される位置の直上の位置に隣接して、周方向に（この場合、全周に亘って）ギア形状に形成されて、ディテント溝３０が１５°刻みに設けられる。ディテントボール３１はボールプランジャ３１Ｐが用いられ、複数のボールプランジャ３１Ｐが、床スラブＢ２の軸受２４の本体２４２の内周面、この場合、ベアリング２４７の直上の位置に隣接して取り付けられる。以下、ボールプランジャ３１Ｐ先端のボールをディテントボール３１という。この場合、軸受２４内のベアリング２４７の直上位置の内周面に９０°間隔で４箇所にボールプランジャ３１Ｐのための複数の取付穴Ｐが形成される。これらの取付穴Ｐにそれぞれ、ボールプランジャ３１Ｐがディテントボール３１を軸受２４の軸心に向けて挿着される。このようにして回転シリンダー２６と一体に結合された下端の軸２２を１５°刻みで回動する毎に回転シリンダー２６周面のディテント溝３０に軸受２４内のボールプランジャ３１Ｐのディテントボール３１がばねの付勢力により入り込んで係合し、下端の軸２２の回動を規制して、各ルーバーパネル１の回動をロックするようになっている。
【００１４】
このロック装置３はまた、図３に示すように、下端の軸２２の外周面に複数のディテント溝３０と並列に、各ディテント溝３０に対応する複数のクリック溝４０を介在して周方向に設けられる複数のクリック突起４１と、下端の軸２２の周囲に各クリック突起４１と係合可能に設けられるクリックスプリング４２とからなり、下端の軸２２の所定の回動角度毎にクリックスプリング４２が各クリック突起４１により弾かれてクリック音を発生するクリック音発生機構４Ｃを併せて具備する。
この場合、複数のクリック突起４１は、下端の軸２２の一部をなす回転シリンダー２６の外周面、この場合、ベアリング２５４により支持される位置の直下の位置に隣接して、周方向に（この場合、全周に亘って）ギア形状に形成されて、クリック突起４１が１５°刻みに設けられる。なお、複数のクリック溝４０はディテント溝３０に比べて深さが浅く、各クリック突起４１を構成するギア形状の突出高さはディテント溝３０を構成するギア形状の突出高さに較べて小さくなっている。クリックスプリング４２は板バネからなり、複数のクリックスプリング４２が、床スラブＢ２の軸受２４のカバー２４８の内周面、この場合、ベアリング２５４の直下の位置の内周面に取り付けられる。この場合、カバー２４８内のベアリング２５４の直下の位置の内周面は下面開口２４９と同じ内径に拡径され、この内周面に９０°間隔で４箇所に複数のピンからなるクリックスプリング取付部２５５が設けられる。これらのクリックスプリング取付部２５５にそれぞれ、クリックスプリング４２が基端部を外側の１本のピンにかしめ固定され他のピンを案内にして略Ｌ字形に折り曲げられ、先端の係脱端４２１が軸受２４の軸心に向けて取り付けられる。このようにして回転シリンダー２６と一体の下端の軸２２を１５°刻みで回動する毎にクリックスプリング４２が各クリック突起４１に弾かれてクリック音を発生するようになっている。
【００１５】
ルーバーＬはかかる構成を備え、図１に示すように、各ルーバーパネル１が、建物Ｂ内のガラス面Ｇの近傍で、上端の軸２１を天井スラブＢ１の軸受２３の受け部２３０に通されてその受け部２３０により支持され、下端の軸２２が床スラブＢ２の軸受２４のカバー２４８の軸挿通穴２５１から軸受２４内部の回転シリンダー２６の上面開口２６１を通じて受け座２４０に通され、この軸２２の下端部の突状部２２０が受け座２４０により係合支持されて、各ルーバーパネル１各別に回動可能に、かつ各床スラブＢ２の軸受２４内のロック装置３により１５°刻みの任意の回動角度にロック可能に設置される。なお、ルーバーＬの設置後、天井スラブＢ１は天井化粧板で覆われ、床スラブＢ２は床材に覆われるので、天井スラブＢ１、床スラブＢ２の各軸受２３、２４はルーバーＬの設置空間からは見えない。
このように設置された複数のルーバーパネル１はそれぞれ、手操作でパネル１の一方の側部を押したり引いたりすることで回動し、このとき、各ルーバーパネル１の１５°刻みの回動で、ディテント溝３０にディテントボール３１が係脱されるので、安定感のある良好な操作感が得られ、ルーバーパネル１の回動を停止すれば、ルーバーパネル１はその停止位置で確実にロックされる。また、この場合、１５°刻みでクリックスプリング４２がクリック突起４１により弾かれてクリック音が発生するので、聴覚的にも心地よい操作感が得られる。
このようにして複数のルーバーパネル１のすべてを各別にガラス面Ｇに対して任意の角度に傾斜させることにより、図４（ａ）に示すように、ガラス面Ｇを通して入る外光が部分的に遮られ、外光の光量が調整される。また、複数のルーバーパネル１の一部を各別にガラス面Ｇに対して任意の角度に傾斜させても、その一部で外光の光量が調整される。そして、すべてのルーバーパネル１の前面又は後面をガラス面Ｇに対向させることにより、図４（ｂ）に示すように、各ルーバーパネル１は相互に隣接する側面間が当該側面毎の凹凸形状１１１、１１２と当該側面間のパッキン材１１３とにより完全に密着されてガラス面Ｇ全面を隙間なく確実に覆い、外光が完全に遮断され、また、各ルーバーパネル１内部の中空部分がガラス面Ｇと建物Ｂ内の空間との間に介在されるので、各ルーバーパネル１内部の中空部分の断熱作用によりガラス面Ｇ外部の外気が効果的に遮断される。また、この場合、各ルーバーパネル１の化粧板１２に木材が用いられているので、木材が前面に出て、落ち着いて暖かな雰囲気の空間が作り出され、癒し効果もある。
また、すべて又は一部のルーバーパネル１の修理や取り換えなどメンテナンスが必要なときは、ルーバーパネル１を手で上方に持ち上げれば、下端の軸２２が床スラブＢ２の軸受２４から抜け外れ、この状態から上端の軸２１を天井スラブＢ１の軸受２３から引き抜くことで、ルーバーパネル１を簡単に取り外すことができ、ルーバーパネル１のメンテナンスを円滑に行うことができる。
【００１６】
以上説明したように、このルーバーＬでは、内部を中空とする複数のルーバーパネル１を建物Ｂ内のガラス面Ｇの近傍で建物Ｂの天井スラブＢ１、床スラブＢ２間に上下端の各軸２１、２２及び軸受２３、２４からなる支持装置２を介して回動可能に取り付けて、ガラス面Ｇ全面に亘って対向可能に横方向に並列にかつ相互に隣接して配置し、各ルーバーパネル１を各支持装置２（床スラブＢ２の軸受２４）内のロック装置３によりロックするようにしたので、各ルーバーパネル１をガラス面Ｇに対して任意の角度に傾斜させロックすることにより、外光の光量を調整することができ、また、複数のルーバーパネル１の前面又は後面をガラス面Ｇに対向させロックすることにより、外光を遮断するとともに、各ルーバーパネル１内部の中空部分をガラス面Ｇと建物Ｂ内の空間との間に介在させて外気を遮断することができる。
【００１７】
また、このルーバーＬによれば、各ルーバーパネル１の相互に隣接する各側面を当該各側面に設けた凹凸形状１１１、１１２の係合により密着させるので、すべてのルーバーパネル１の前面又は後面をガラス面Ｇに向けたときに、各ルーバーパネル１の相互に隣接する側面間を完全に密着させることができ、外光を完全に遮断することができ、また、各ルーバーパネル１の中空部分による断熱作用を良好に維持することができる。また、一部のルーバーパネル１の前面又は後面をガラス面Ｇに向けても、一部のルーバーパネル１の相互に隣接する側面間が完全に密着するので、その部分の外光を完全に遮断することができる。
また、この場合、各ルーバーパネル１の相互に隣接する各側面間にパッキン材などのシール材１１３を設けたので、上記の効果をより増大させることができる。
【００１８】
さらに、このルーバーＬによれば、各支持装置２を構成する天井スラブＢ１の軸受２３にルーバーパネル１の上端の軸２１を回動可能にかつ抜き差し可能に支持する受け部２３０を設け、床スラブＢ２の軸受２４に回転シリンダー２６を設け、この回転シリンダー２６にルーバーパネル１の下端の軸２２と一体に回動可能にかつこの軸２２を係脱可能に保持する受け座２４０を設けたので、各支持装置２から各ルーバーパネル１を上下端の軸２１、２２とともに容易に取り外すことができ、ルーバーパネル１の修理や取り換えなどのメンテナンスを円滑に行うことができる。
【００１９】
また、このルーバーＬによれば、ロック装置３を複数のディテント溝３０と複数のディテントボール３１からなるディテント機構３２により構成し、ルーバーパネル１を所定の回動角度刻みに、この場合、１５°刻みの回動毎にロックするようにしたので、ルーバーパネル１を回動操作するときの感触が良好で操作性がよく、また、ルーバーパネル１の回動を任意の角度で停止するだけで、その回動角度にルーバーパネル１を確実に保持することができる。
さらに、このロック装置３にルーバーパネル１の所定の回動角度刻みに、この場合、１５°刻みの回動角度毎にクリック音を発生するクリック音発生機構４Ｃを併せて設けたので、聴覚的にも心地よい操作感を得ることができる。
【００２０】
なお、上記実施の形態では、ルーバーをガラス張りの建物内のガラス面の近傍に設置して採光量の調節及び断熱を図るものとして例示したが、大きな窓を有する建物内の窓ガラス面の近傍に同様に設置することもでき、上記実施の形態と同様の作用効果を奏することができることは勿論である。また、小さな窓の場合であっても、例えば窓枠にルーバーのための取付面を設けることで、ルーバーを小型にして同様に取り付けることもでき、このようにしても上記実施の形態と同様の作用効果を得ることができる。
上記実施の形態では、各ルーバーパネルを縦長に形成して、横方向に並列に配置するものとしたが、各ルーバーパネルを横長に形成して、縦方向に並列に配置することもでき、このようにしても上記実施の形態と同様の作用効果を得ることができる。
上記実施の形態では、天井スラブ側の軸受に軸を回動可能にかつ抜き差し可能に支持する受け部を設け、床スラブ側の軸受に軸と一体に回動可能にかつ軸を係脱可能に保持する受け座を設けるものとしたが、これらの軸受を上下反対にしても差し支えない。
上記実施の形態では、ロック装置について、下端の軸の外周面に周方向に複数のディテント溝を設け、下端の軸の周囲である軸受の内周面に各ディテント溝に対して弾性的に係脱可能にディテントボールを設けるものとしたが、これとは反対に、軸受の内周面に周方向に複数のディテント溝を設け、軸の外周面に各ディテント溝に対して弾性的に係脱可能にディテントボールを設けてもよく、また、このディテント溝、ディテントボールは上端の軸、軸受に同様に設けてもよく、さらには軸受とは別にして設けてもよく、このようにしても上記実施の形態と同様の作用効果を得ることができる。
上記実施の形態では、クリック音発生機構について、下端の軸の外周面に複数のディテント溝と並列に各ディテント溝に対応する複数のクリック溝を介在して周方向に複数のクリック突起を設け、下端の軸の周囲である軸受の内周面に各クリック突起と係合可能にクリックスプリングを設けるものとしたが、これとは反対に、軸受の内周面に複数のディテント溝と並列に各ディテント溝に対応する複数のクリック溝を介在して周方向に複数のクリック突起を設け、軸の外周面に各クリック突起と係合可能にクリックスプリングを設けてもよく、また、このクリック突起、クリックスプリングは上端の軸、軸受に同様に設けてもよく、さらには軸受とは別にして設けてもよく、このようにしても上記実施の形態と同様の作用効果を得ることができる。
【符号の説明】
【００２１】
Ｌ  光量調整断熱ルーバー
Ｂ  ガラス張りの建物
Ｂ１  天井スラブ（建物側の取付面）
Ｂ２  床スラブ（建物側の取付面）
Ｇ  ガラス面
１  ルーバーパネル
１１  外形フレーム
１１０  取付溝
１１１  凸形状
１１２  凹形状
１１３  シール材（パッキン材）
１２  化粧パネル
２  支持装置
２１  上端の軸
２１１  取付プレート
２２  下端の軸
２２０  突状部
２２１  取付プレート
２３  軸受
２３０  受け部
２３１  軸受本体
２３２  軸挿通穴
２３３  本体
２３４  取付部
２３５  受けインナー
２４  軸受
２４０  受け座
２４０ａ  穴
２４０ｂ  面
２４１  軸受本体
２４２  本体
２４３  開口
２４４  シリンダー挿通穴
２４５  フランジ部
２４６  溝
２４７  ベアリング
Ｐ  取付穴
２４８  カバー
２４９  開口
２５０  シリンダー挿通穴
２５１  軸挿通穴
２５２  フランジ部
２５３  溝
２５４  ベアリング
２５５  クリックスプリング取付部
２６  回転シリンダー
２６１  開口
２６２  開口
３  ロック装置
３０  ディテント溝
３１  ディテントボール
３１Ｐ  ポールプランジャ
３２  ディテント機構
４Ｃ  クリック音発生機構
４０  クリック溝
４１  クリック突起
４２  クリックスプリング
４２１  係脱端
【図１】
2015232201.tif 000003
【図２】
2015232201.tif 000004
【図３】
2015232201.tif 000005
【図４】
2015232201.tif 000006